(57)【特許請求の範囲】
【請求項１】
脚に取り付ける支持部材を、脚に外嵌する基部と、基部に取り付ける受け部とから構成し、基部は、脚に外嵌する環状部材と環状部材に突設した球状突部とを具備し、受け部は、平面部と平面部の両側の下面に突設した垂直部とを具備し、前記垂直部に球状突部を係合する丸孔を穿設したものであり、基部に突設した球状突部の側面に突起を突設したことを特徴とする画架。
【請求項２】
支持杆の上端部に固定した押さえ部材を、スライダーと、前記スライダーの先端側を突出させて収納するケースとから構成し、スライダーとケースとに咬合部を形成したことを特徴とする請求項１に記載の画架。
【請求項３】
ケースに開口部を形成し、前記開口部の側方の内面に鋸歯形状の咬合部を形成し、ケース内に先端部を突出させて収納されるスライダーに、前記鋸歯形状の咬合部と噛合する突起状の咬合部を形成したことを特徴とする請求項２に記載の画架。
【発明の詳細な説明】
【０００１】
【産業上の利用分野】
本発明は、三脚と三脚の頂部に連結した支持杆とから構成し、絵を描く際にカンバスを固定したり、絵や写真を展示したり鑑賞する際に絵などを立てかける画架に関し、詳しくはカンバスなどを容易かつ確実に固定することができるようにした画架に関するものである。
【０００２】
【従来の技術】
従来より一般に使用されている画架は、三脚と三脚の頂部に鉛直方向に連結した支持杆とから構成される。手前側の２本の脚の任意の箇所には、図２１及び図２２に示すように、カンバスや絵、写真など（以下、「カンバス」のみ記載する。）を載せる支持部材１１０が取り付けられる。支持部材１１０は手前側の２本の脚１００に外嵌するＣ字形の基部１１１と、折曲した基部１１１の両端部の間に挟まれる取付具１１２と、基部１１１の両端部を締結するボルト１１３及びナット１１４と、線状部材をＬ字形に成形し、取付具１１２に螺着する受け部１１５とから構成される。
【０００３】
他方、３本の脚１００の連結部には、図２３に示すような頂部をＬ字形に折曲した支持杆１０７を接続する。支持杆１０７の頂部には押さえ部材１２０を固定する。押さえ部材１２０はカンバスＣを係止する爪部材１２１と、爪部材を支持杆１０７に固定するネジ１２２とから構成される。爪部材１２１はカンバスＣの上縁を係止できるように先端部が折曲され、カンバスＣの様々な厚さに対応できるようにするため、ネジ１２２を挿通する長孔１２１ａが穿設されている。
【０００４】
従来の画架は以上のように構成し、上記の脚１００に取り付けた支持部材１１０の受け部１１５にカンバスＣの下縁を載せ、押さえ部材１２０の爪部材１２１にカンバスＣの上縁を係止することによって、カンバスＣは画架に固定される。また、画架はカンバスＣのサイズに合わせて、支持部材１１０の取付位置や爪部材１２１の位置を調整することができる。
【０００５】
すなわち、支持部材１１０は脚１００に取り付けているため、小さなカンバスＣを固定するときは、支持部材１１０を脚１００の上側に固定し、大きなカンバスＣを固定するときは、支持部材１１０を脚１００の下側に固定する。支持部材１１０はボルト１１３を緩めることにより、脚１００の任意の位置に移動させることができる。カンバスＣの下縁は線状部材をＬ字形に折曲した受け部１１５に支持されて、脱落することがない。
【０００６】
他方、押さえ部材１２０の爪部材１２１は、カンバスＣが厚いときに手前に引き出し、薄いときは奥側へ押し出す。このように爪部材１２１を移動させることによって様々なカンバスＣの厚さに対応することができる。
【０００７】
【発明が解決しようとする課題】
従来の画架は、カンバスＣが脱落することなく確実に係止することができるようにするため、支持部材１１０の受け部１１５と、押さえ部材１２０の爪部材１２１の先端部を折曲し、その折曲部がカンバスＣの下縁と上縁とをそれぞれ係止している。したがって、カンバスＣの取り付け又は取り外しに際し、支持部材１１０はいちいちボルト１１３及びナット１１４を緩めたり締めつけたりする操作が必要である。さらに、押さえ部材１２０は、カンバスＣが振動によって支持部材１１０から脱落しないように、カンバスＣと爪部材１２１を手で支持しながらネジ１２２の操作をしなければならない。
【０００８】
さらに従来の画架は、以上のような操作上の不具合だけでなく、次のような課題もあった。すなわち、支持部材１１０の受け部１１５は、カンバスＣが脱落しないようにするため、Ｌ字形をしている。そのため、使用時や運搬時に受け部１１５が衣服などに引っ掛かりやすく危険であり、特に運搬時に障害になりやすく不便であった。このような状況を避けるために、受け部１１５を取り付け部から抜き取ることも可能であるが、画架を運搬するたびに受け部１１５をいちいち抜き取る作業を行うのは煩わしい。
【０００９】
また、受け部１１５は脚１００が斜め向きであっても、確実にカンバスＣの下縁を載せることができるようにするため、線状部材を折曲したものとしてある。したがって、カンバスＣを安定に支持するのは困難となる。つまり、画架の支持部材１１０は左右一対で構成され、その左右の支持部材１１０の高さを正確に、同一水平面状に保持しながらカンバスＣを設置する作業は困難であり、また煩わしい。そして、左右の軸部の高さが不均衡のままでの使用では、カンバスＣが横滑りしやすく、折角、描いた絵画等を台無しにしかねない。
【００１０】
さらに、押さえ部材１２０については、不注意により、爪部材１２１を固定するネジを紛失するという不具合もある。
【００１１】
そこで本発明は、カンバスの取り付け及び取り外しの作業の簡便な押さえ部材を有するとともに、カンバスを安定的に支持することができるようにすることにより、画架の収納運搬時の利便性に優れた受部を備えた下部支持部材を有することを特徴とする画架を提供することを目的とする。
【００１２】
【課題を解決するための手段】
上記の課題を解決するための第１の手段は、脚に取り付ける支持部材を、脚に外嵌する基部と、基部に取り付ける受け部とから構成し、基部は、脚に外嵌する環状部材と環状部材に突設した球状突部とを具備し、受け部は、平面部と平面部の両側の下面に突設した垂直部とを具備し、前記垂直部に球状突部を係合する丸孔を穿設したものであり、基部に突設した球状突部の側面に突起を突設したことを特徴とする画架である。
【００１３】
上記の第１の手段によれば、脚に取り付けた基部の球状突部とカンバスを載せる受け部の垂直部の丸孔とが係合することにより、受け部は任意の方向の姿勢をとることができる。したがって、基部を取り付ける脚が斜め向きであっても、受け部の平面部は水平姿勢となって、カンバスの下縁を全面で支持することができる。また、運搬時など、画架を使用しないときは、受け部を起立させた姿勢として前方に飛び出ないようにすることができる。
【００１４】
上記の第１の手段によれば、球状突部の側面に突設した突起が、受け部の垂直部に穿設した丸孔内でのみ相対的に移動することができる。球状突部は基部の環状部材に突設し、基部は脚に外嵌して固定されるため、受け部が一定の範囲でのみ傾動する。したがって、基部の環状部材が斜め向きの脚に外嵌していても、受け部は水平姿勢となって、カンバスの下縁を全面で支持することができる。
【００１５】
上記の第１の手段によれば、画架の使い勝手が一層向上する。
【００１６】
上記の課題を解決するための第２の手段は、支持杆の上端部に固定した押さえ部材を、スライダーと、前記スライダーの先端側を突出させて収納するケースとから構成し、スライダーとケースとに咬合部を形成したことを特徴とする請求項１に記載の画架である。
【００１７】
上記の第２の手段によれば、スライダーの咬合部とケースの咬合部とが噛合することにより、押さえ部材のスライダーはカンバスの厚さに応じてケース内から突出した位置で仮固定される。また、運搬時など、画架を使用しないときは、スライダーをケース内に収納されるように退入させ、スライダーの咬合部とケースの咬合部とが噛合することにより、スライダーの先端側が突出していない状態で仮固定することができる。
【００１８】
上記の課題を解決するための第３の手段は、ケースに開口部を形成し、前記開口部の側方の内面に鋸歯形状の咬合部を形成し、ケース内に先端部を突出させて収納されるスライダーに、前記鋸歯形状の咬合部と噛合する突起状の咬合部を形成したことを特徴とする請求項２に記載の画架である。
【００１９】
上記の第３の手段によれば、ケースの咬合部とスライダーの咬合部が露出しないため、外観上の体裁がよくなる。
【００２０】
【発明の実施の形態】
本発明の実施の形態について図１から図１６を参照して説明する。図１は、本発明に係る画架の使用時の斜視図である。図２は、本発明に係る画架の使用時の正面図である。図３は、本発明に係る画架の使用時の側面図である。図４は、本発明に係る画架の図３とは別の使用態様の側面図である。
【００２１】
図５は、本発明に係る画架を構成する連結具の斜視図ある。図６は、本発明に係る画架を構成するクランパの分解斜視図である。図７は、本発明に係る画架を構成するクランパを緩めたときの正面図である。図８は、本発明に係る画架を構成するクランパを締めたときの正面図である。
【００２２】
図９は、本発明に係る画架を構成する支持部材の斜視図である。図１０は、本発明に係る画架を構成する支持部材の分解斜視図である。図１１は、本発明に係る画架を構成する支持部材を脚に固定する前の平面図である。図１２は、本発明に係る画架を構成する支持部材を脚に固定した後の平面図である。
【００２３】
図１３は、本発明に係る画架の押さえ部材の分解斜視図である。図１４は、本発明に係る画架の押さえ部材の斜視図である。図１５は、本発明に係る画架の押さえ部材の正面断面図である。図１６は、本発明に係る画架の押さえ部材の平面図である。
【００２４】
本発明に係る画架は図１に示すように、３本の脚１が閉脚・開脚することができるように頂点で連結具３によって枢着し、その連結具３に支持杆７を昇降動自在に挿通した一般的な構造を基本とする。３本の脚１を枢着し、また支持杆７を挿通する連結具３は、図５に示すように平面形状がＴ字形をしており、３方向に突出している突出部３１の下面には脚１を挿入する溝３２を形成し、中心部には支持杆７を挿通する角筒部３３を形成する。
【００２５】
３つの突出部３１の溝３２内に挿入される脚１の上端部と、各突出部３１とにはボルト（図示せず）などを挿通する連続孔（図示せず）を穿設し、前記ボルトをナット（図示せず）によって締結し、脚１が揺動できるように連結具３に枢着する。脚１が揺動できるようにすることによって、画架を使用しないときは閉脚してコンパクトに収納することができ、画架を使用するときは開脚して立設することができる。開脚した脚１は、突出部３１の内壁３４に当接し、一定以上に開脚することがない。脚１が当接する内壁３４は円弧状の面取りをすることにより、安定した状態に開脚させることができる。
【００２６】
脚１は外管１０と内管２０とから構成する二重管とし、内管２０が外管１０内に収納された状態と、外管１０から任意の長さだけ突出した状態とに長さを変えることができるようにする。脚１を保持する連結具３の平面形状がＴ字形であるから、３本の脚１を同じ長さにすると、図３に示すように正面が鉛直方向に起立する。手前側の脚１が向こう側の脚１よりも長くすると、図４に示すように正面が傾倒した姿勢となる。
【００２７】
脚１を所望の長さに調整するために、外管１０内から引き出す内管２０は、図６から図８に示すようなクランパ４によって仮固定する。クランパ４は外筒４０と前記外筒４０と同じ長さの内筒５０とから構成する。外筒４０の内面は下側の縮径部４１と上側の拡径部４２との２段になるような段差４３を設ける。その段差４３の境界部の１点に小孔を穿設し、その小孔内には外筒４０内に突出するようなピン４４を嵌入する。
【００２８】
他方、内筒５０の内面は、脚１の外管１０の下端部１１を外嵌する拡径部と、内管２０の上端部を外嵌する縮径部を形成する。拡径部の開口端付近には、一対の凸部５３を突設し、外管１０の下端部１１には、その凸部５３を嵌入する一対の係合孔（図示せず）を穿設する。また、内筒５０の長さ方向には、間隙部５１を全長に形成し、内筒５０がわずかに拡径及び縮径できるようにする。内筒５０が拡径することにより、内面に凸部５３が突設されていても、外管１０に外嵌し、外管１０の係合孔に内筒５０の凸部５３を嵌入することができる。
【００２９】
内筒５０の外面の上端部には鍔５４を形成し、この鍔５４が外筒４０の拡径部４２内でのみ相対的に移動して、内筒５０の下側から外嵌した外筒４０が内筒５０の上側方向へ外れないようにする。内筒５０の下端部５２外面は、中間部から次第に拡径するテーパとする。さらに内筒５０の下端部５２から中間部には、上記の間隙部５１から90°の間隔で３本のスリット５５を等間隔に形成し、内筒５０の下側が拡縮できるようにする。
【００３０】
２本のスリット５５の間には、外筒４０の内面に突出したピン４４が嵌入できる連続した溝５６と案内孔５７とを形成する。案内孔５７は円弧部５７ａと円弧部５７ａの両端で周方向と軸方向の２つの直線部５７ｂとを形成し、円弧部５７ａと直線部５７ｂとの両境界部には案内孔５７を僅かに狭める突起５７ｃを突設したものとする。
【００３１】
内筒５０を外筒４０内に挿入すると、当初は外筒４０の内面に突出したピン４４が内筒５０の溝５６内に嵌入し、内筒５０の下端部５２が撓むが、ピン４４が案内孔５７内に嵌入すると、撓んだ内筒５０の下端部５２が元の真っ直ぐな姿勢に戻る。そして、案内孔５７内に嵌入したピン４４は、溝５６内に戻ることができなくなり、案内孔５７内でのみ移動できるようになる。ただし、案内孔５７に突設した突起５７ｃによって、ピン４４は案内孔５７内を自由に移動できなくなり、ピン４４を嵌入している外筒４０は、回転力を加えられたときだけ、回転することができる。
【００３２】
回転力を加えられた外筒４０は、上下方向及び周方向にわずかに回転し、外筒４０の内面から突出したピン４４が内筒５０の案内孔５７内を移動することができる。ピン４４が内筒５０のフランジ寄りの案内孔５７内に位置しているときは、図７に示すように内筒５０の下端部５２が外筒４０の下端部４５からわずかに突出する。したがって、テーパ状に拡径している内筒５０の下端部５２は、内筒５０は縮径することがなく、内筒５０内の内管２０は自由に移動することができるようになる。
【００３３】
外筒４０を回転して、ピン４４が内筒５０の鍔５４から離れた周方向の案内孔５７内に位置しているときは、図８に示すように内筒５０の下端部５２が外筒４０の下端部４５内に収納される。内筒５０の下端部５２はテーパ状に拡径しているため、内筒５０の下端部５２が外筒４０の下端部４５内に収納されると、内筒５０の下端部５２は縮径し、内筒５０の下端部５２内が内管２０を締めつける。したがって、内管２０を外管１０内から任意の長さだけ引き出して固定することができる。
【００３４】
カンバスＣを支持する支持部材６は図９から図１２に示すように、脚１に嵌合する基部６０と、基部６０に枢着されてカンバスＣを載せる受け部７０とから構成する。基部６０は可撓性を有するＣ字形の環状部材６１と、環状部材６１に枢着するレバー６２と、レバー６２に枢着する締結部材６３とから構成する。
【００３５】
環状部材６１は脚１に嵌合するものであるが、定常状態において、平面形状が図１１に示すように、真円ではなく、楕円形のような形状になるようにする。そして、環状部材６１の両端部を強制的に外管１０の直径まで拡開することにより、環状部材６１が外管１０を締めつけるように嵌合させる。環状部材６１の形状が定常状態において、楕円形のような形状としたことにより、環状部材６１が外管１０を締めつける嵌合力が強くなる。環状部材６１の両端部が拡開しやすいようにするため、環状部材６１の中央部の内面には溝６１ａを形成しておくことが望ましい。
【００３６】
環状部材６１の一端部はレバー６２の基端部を軸６４によって枢着するための軸受６１ｂを突設する。環状部材６１の他端部は締結部材６３の先端部を嵌合する複数の係合溝６１ｃを形成する。締結部材６３の先端部はＶ字形に折曲して環状部材６１の係合溝６１ｃに係合し、環状部材６１の係合溝６１ｃから容易に外れないようにする。環状部材６１が外径の大きな外管１０に外嵌するときは、締結部材６３の先端部が環状部材６１の端部側の係合溝６１ｃに係合する。環状部材６１が外径の小さな外管１０に外嵌するときは、締結部材６３の先端部が環状部材６１の中央部寄りの係合溝６１ｃに係合する。
【００３７】
締結部材６３の基端部はレバー６２を挟むようにコ字形として、レバー６２の中間部に軸６５によって枢着する。レバー６２は環状部材６１の軸受６１ｂを回転軸に揺動し、締結部材６３はレバー６２の中間部を回転軸に揺動する。したがって、レバー６２の遊端部を環状部材６１から離隔させると、図１１に示すように締結部材６３の先端部を環状部材６１の溝から外すことができる。逆に締結部材６３の先端部を環状部材６１の係合溝６１ｃに嵌合した状態で、レバー６２の遊端部を環状部材６１に接合すると、図１２に示すように締結部材６３の先端部が環状部材６１の係合溝６１ｃから外れることがないように仮固定することができる。
【００３８】
環状部材６１の外側の下側には図１０に示すように、平坦部６１ｅを形成する。環状部材６１の外側の中間には球状突部６１ｄを突設し、この球状突部６１ｄに受け部７０が比較的に任意の方向に向くことができるように枢着する。受け部７０はある程度の弾性を有するように樹脂などで製造し、カンバスＣを載せる平面部７１と、平面部７１の両側の下面に突設した三角形状の垂直部７２と、平面部７１の先端部に突設した脱落止め７３とから構成する。
【００３９】
垂直部７２の内寸は球状突部６１ｄの外径よりもやや狭くし、垂直部７２の幅の広い基端側が拡開しないように、垂直部７２の基端側の先端部はピン７４によって連結する。さらに垂直部７２の基端側には丸孔７２ａを穿設し、この丸孔７２ａに球状突部６１ｄの側面が係合するようにする。受け部７０は、垂直部７２の内寸が球状突部６１ｄの外径よりもやや狭くても、二枚の垂直部７２の間隔を広げるようにして、球状突部６１ｄの側面が垂直部７２の丸孔７２ａ内に係合することができる。また、平面部７１の基端部にはＵ字形の切欠部７１ａを形成し、この切欠部７１ａに球状突部６１ｄの上面が露出して係合するようにする。
【００４０】
球状突部６１ｄの側面と上面が、それぞれ受け部７０の垂直部７２の丸孔７２ａと平面部７１の切欠部７１ａに係合することにより、受け部７０は起立姿勢と水平姿勢とに揺動できるように連結される。垂直部７２の幅の広い基端面は、受け部７０が水平姿勢のときに環状部材６１の平坦部６１ｅと当接し、水平姿勢を維持することができる。
【００４１】
起立姿勢にした受け部７０が水平姿勢に戻らないようにするため、球状突部６１ｄの頂部には突起６１ｆを突設し、この突起６１ｆが受け部７０の平面部７１の下面と当接するようにする。この受け部７０が起立姿勢をより確実に維持できるようにするため、平面部７１の切欠部の最も奥側にも、球状突部６１ｄの頂部に突設した突起６１ｆに係止する突起（図示せず）を突設することもできる。受け部７０はある程度の弾性を有するため、わずかな力を加えることによって、球状突部６１ｄの突起６１ｆが受け部７０の平面部７１と係止して起立姿勢を維持したり、外すことによって水平姿勢とすることができるようにする。
【００４２】
水平姿勢の受け部７０は、垂直部７２の基端面が環状部材６１の平坦部と当接するため、長さ方向には水平方向を維持する。しかし、受け部７０は球状突部６１ｄに連結されているため、中心軸を回転軸にして、幅方向（図９におけるθ）に回動する。したがって脚１を開脚し、基部６０が傾斜していても、受け部７０は水平姿勢となる。ただし、受け部７０が幅方向に360 °回転しないようにするため、球状突部６１ｄの両側面には突起６１ｇを突設し、この突起６１ｇが受け部７０の垂直部７２に穿設した丸孔７２ａでのみ移動できるようにする。そうすることにより、受け部７０は平面部７１の中心軸を回転軸に、一定の角度内で回動することができる。このようにして、水平姿勢の受け部７０は、平面部７１にカンバスＣの下縁を容易かつ確実に載せることができる。
【００４３】
カンバスＣの上縁は支持杆７の頂部に固着した押さえ部材７によって保持されるようにする。押さえ部材７は図１３から図１６に示すように、ケース８０とスライダー９０とから構成する。ケース８０の上面には開口部８１を形成し、開口部８１の周辺の下面には鋸歯形状の咬合部８２を形成する。ケース８０の前面にはスライダー９０が出入りする挿通孔８３を穿設する。ケース８０の下面には支持杆７を固着する接続凸部８４を突設する。
【００４４】
他方、スライダー９０はケース８０内に収納されて前後動する板状のものであり、手前部分がケース８０の挿通孔８３から突出し、その最先端は折曲して固定部９１を形成する。ケース８０内に収納されるスライダー９０の後部の下面には、可撓性を有する２本の弾性部材９２を突設する。この弾性部材９２はケース８０の底面内側を押圧して、ケース８０内のスライダー９０をケース８０外へ付勢する。スライダー９０の後部の上面には、波形の押部９３と押部９３の手前側に突設した摘まみ９４とを形成し、押部９３及び摘まみ９４を押圧することにより、弾性部材９２を撓めることができるようにする。
【００４５】
摘まみ９４の両側には、ケース８０の咬合部８２と噛合する三角形状の突起である咬合部９５を突設する。スライダー９０は弾性部材９２によって、ケース８０外へ付勢されているため、スライダー９０に形成した咬合部９５とケース８０の咬合部８２とが噛合して、スライダー９０が仮固定される。スライダー９０を移動させるときは、押部９３及び摘まみ９４を押圧して、弾性部材９２を撓ませ、スライダー９０の咬合部９５をケース８０の咬合部８２から外す。
【００４６】
ケース８０の下面に突設した接続凸部８４には、支持杆７の頂部を固着する。支持杆７の下部は図５に示すように、連結具３の中心部に形成した角筒部３３に挿通する。角筒部３３の後面は、ネジ孔（図示せず）と連通する。ネジ孔は連結具３の後ろ側の突出部３１の天板部分に形成する。このネジ孔に固定ネジ３５を挿通する。固定ネジ３５の先端部分が角筒部３３にの支持杆７を押圧することにより、支持杆７が所定の位置を維持するようにする。固定ネジ３５を緩めると、角筒部３３の後面が固定ネジ３５に押圧されなくなるため、支持杆７は自在に昇降動することができる。
【００４７】
本発明に係る画架は以上のように構成し、つぎにその使用方法について説明する。
【００４８】
画架は収納状態において、３本の脚１が閉じられ、脚１の内管２０は外管１０内に収納されてコンパクトになる。したがって使用するときは、３本の脚１を開脚し、カンバスＣの大きさなどに合わせて、脚１の内管２０を外管１０内から引き出す。
【００４９】
内管２０を外管１０内から引き出して固定するには、クランパ４を操作する。すなわち、外筒４０を回して図７に示すように、内筒５０の下端部５２が外筒４０の下端部４５から突出し、内筒５０の下端部５２を拡径させる。すると、内筒５０は内管２０を保持しなくなり、内管２０が自由に移動できるようになる。
【００５０】
内管２０を所望の長さだけ外管１０内から引き出した後、外筒４０を上記とは逆方向に回し、図８に示すように内筒５０の下端部５２を外筒４０内に収納させる。すると、内筒５０が縮径して内管２０を保持する。したがって内管２０は仮固定された状態となって外管１０内に入り込むことがなくなる。
【００５１】
３本の脚１を同じ長さにすると、すなわち内筒５０を外筒４０内から同じ長さだけ引き出すと、前面の脚１は横方向に延びて、後ろ側の脚１は後方に延びるため、図２に示すように前面が鉛直方向に起立した姿勢となる。後ろ側の脚１の長さを、前面の脚１の長さよりも短くすると、図３に示すように傾倒した姿勢となる。このように脚１を任意の長さとすることにより、使用状態に応じた姿勢とすることができる。
【００５２】
つぎに、カンバスＣを支持部材６に載せる方法について説明する。収納状態における支持部材６は、受け部７０が衣服に引っ掛からないようにするため、球状突部６１ｄの頂部に突設した突起６１ｆが、受け部７０の平面部７１を係止して起立姿勢にされている。したがって、受け部７０の平面部７１を、球状突部６１ｄの突起６１ｆから外して、水平姿勢にする。
【００５３】
さらに、支持部材６はカンバスＣのサイズに合わせて固定位置を変更する。すなわち、小さなカンバスＣでは幅が狭いため、支持部材６を脚１の外管１０の上側に固定し、大きなカンバスＣでは幅が広いため、支持部材６を脚１の内管２０の下側に固定する。支持部材６を移動させるには、図１１に示すようにレバー６２の遊端部を環状部材６１から離隔させ、締結部材６３の先端部を環状部材６１の係合溝６１ｃから外す（図１１は支持部材６の環状部材６１が脚１に嵌合していない状態であるが、レバー６２の動きについては同じ）。すると、支持部材６は、環状部材６１が単に脚１に嵌合しているだけとなり、環状部材６１の保持力が弱くなるため、軽い力で移動できる。
【００５４】
支持部材６が所望の位置まで移動すると、図１２に示すように、締結部材６３の先端部を環状部材６１の係合溝６１ｃに嵌合させて、レバー６２の遊端部を環状部材６１に接合させる。環状部材６１の係合溝６１ｃは、脚１の外管１０と内管２０の外径に合わせて２カ所に形成してある。したがって、締結部材６３を脚１の外管１０に固定するときは、締結部材６３の先端部を環状部材６１の端部側の係合溝６１ｃに係合する。そして、締結部材６３を脚１の内管２０に固定するときは、締結部材６３の先端部を環状部材６１の中央部寄りの係合溝６１ｃに係合する。このように支持部材６は、外管１０又は内管２０のそれぞれの外径に対応させて、締結部材６３の先端部を環状部材６１の係合溝６１ｃに係合させることができる。
【００５５】
締結部材６３の先端部が環状部材６１の係合溝６１ｃに係合すると、環状部材６１の両端部が接近するような力が加えられ、脚１が環状部材６１に締めつけられるため、支持部材６は移動しにくくなって、受け部７０の平面部７１上にカンバスＣを載せることができる。平面部７１は前後方向にも左右方向にも水平であるから、平面部７１の全面にカンバスＣの下縁を載せることができる。また、カンバスＣを載せた平面部７１の先端部には脱落止め７３を突設してあるため、カンバスＣが手前方向に滑り落ちることがない。
【００５６】
カンバスＣが倒れないように、カンバスの上縁を保持する押さえ部材７は、収納状態において、連結具３と当接するまで最も下降してコンパクトにされている。したがって、カンバスＣのサイズに合わせて押さえ部材７を上昇させる。すなわち、押さえ部材７を頂部に固着している支持杆７は、連結具３の突出部３１に挿通してある固定ネジ３５を緩めて上昇する。押さえ部材７が所望の位置まで上昇すると、支持杆７は固定ネジ３５を締めることによって、角筒部３３内に保持された状態に固定する。
【００５７】
そして、押さえ部材７のスライダー９０をカンバスＣの厚さに合わせてケース８０内から突出させる。スライダー９０は収納状態において、図１５に示すようにケース８０内に収納され、固定部９１が衣服などに引っ掛からないようにされている。そして押部９３及び摘まみ９４を押圧することにより、スライダー９０の咬合部９５がケース８０の咬合部８２から外れ、スライダー９０は図１６に示すようにケース８０内を前方に引き出す。カンバスＣの厚さに応じた所望の長さだけ引き出されると、押部９３及び摘まみ９４を押圧することを止める。すると、弾性部材９２によってスライダー９０がケース８０の開口部８１側へ付勢され、スライダー９０の咬合部９５がケース８０の咬合部８２と噛合し、スライダー９０は移動しないように仮固定される。
【００５８】
以上のようにしてカンバスＣはどのようなサイズであっても、本発明に係る画架にセットすることができる。また、画架を使用しないときは、脚１を閉脚し、押さえ部材７を連結具３と当接するまで下降し、スライダー９０をケース８０内に退入することにより、画架はコンパクトに収納することができる。
【００５９】
本発明は上記の実施の形態に限定することなく、本発明の要旨内において設計変更することができる。その変形例を図１７から図１８に示して説明する。ただし、上記の実施の形態と同一に相当する部分は、同一符号を付する。
【００６０】
図１７及び図１８は、脚１の長さを調整するためのクランパ４の変形例を示したものであるが、このクランパ４も外筒１４０と内筒１５０などから構成する。外筒１４０の内面は段差を形成し、内面の下側は、下端の開口部方向に拡径するテーパ面１４１とする。外筒１４０の中間部の内面には上側に開口する環状溝１４２を形成する。
【００６１】
他方、内筒１５０は上端の外周に外筒１４０の内面と接合するフランジ１５１を形成し、内筒１５０の外周と外筒１４０の内周との間に空間Ｓを形成する。この空間Ｓと上記外筒１４０の環状溝１４２との間には圧縮バネ１４４を収納する。内筒１５０の上側の内面には突起１５２を２カ所に突設する。この突起１５２は外管１０の下部に穿設した小孔１４に嵌入する。突起が１５２があっても、内筒１５０内に外管１０を挿入しやすくするため、突起１５２の上側はテーパ面を形成する。
【００６２】
内筒１５０の下側には窓穴１５３を穿設する。この窓穴１５３内には円弧状の小片１５４を装入する。小片１５４の外周は、外筒１４０のテーパ面１４１と接合するテーパ面とする。小片１５４の内側は凹陥部を形成し、この凹陥部内には、外管１０の下端部１１内から出入りする内管２０と接合する滑り止め１５５を嵌入する。この小片１５４を装入する窓穴１５３の上側の内筒１５０の内面には、外管１０の下端縁が当接する凸条１５６を突設する。
【００６３】
以上のような変形例におけるクランパ４は、次のようにして脚１に取り付ける。すなわち、まず内筒１５０内の上側に外管１０の下端部を挿入する。内筒１５０の内面には突起１５２が突設されているが、突起１５２の上側はテーパ面であるから、外管１０は内筒１５０内に比較的容易に挿入することができる。外管１が内筒１５０内の所定の位置まで挿入されると、内筒１５０の突起１５２が外管１０の小孔１４に嵌入し、外管１０の下端縁が内筒１５０の凸条１５６に当接する。内筒１５０内の下側には、外管１０の下端部内にも挿入する内管２０を挿入する。そして、内筒１５０の窓穴１５３内に、滑り止め１５５を嵌入した小片１５４を装入する。
【００６４】
つぎに、環状溝１４２内に圧縮バネ１４４を収納した外筒１４０を内筒１５０に外嵌する。圧縮バネ１４４は内筒１５０のフランジ１５１と当接し、外筒１４０は下方へ付勢される。外筒１４０の下側の内面はテーパ面１４１であり、このテーパ面１４１が小片１５４のテーパ面と当接する。したがって、外筒１４０が圧縮バネ１４４によって下方へ付勢されることにより、小片１５４も下方へ付勢されるだけでなく、内管２０の中心軸方向にも付勢される。すると、小片１５４に嵌入した滑り止め１５５が内管２０を押圧して保持した状態を維持することができる。
【００６５】
また図１９は、押さえ部材７の変形例を示したものである。この押さえ部材７はケース８０の開口部８１の側面に鋸歯形状の咬合部８２を形成したものである。したがって、この咬合部８２と噛合する三角形状の咬合部９５は、スライダー９０の上面に形成した押部９３の側方に突出するようにする。
【００６６】
さらに上記の実施の形態では、脚１は外管１０と内管２０との２本で構成したが、図２０に示すように３本以上でも構成することができる。外管１０内に挿入される中間の内管２１は、先端側の内管２２に対しては外管となるが、ここでは便宜上、中間の内管２１という。中間の内管２１の下端部と先端側の内管２２とは、クランパ４によって連結する。クランパ４は外筒４０内に、下端部が拡径及び縮径する内筒５０を挿入したものであり、内筒５０内の上側に中間の内管２１の下端部を固定し、内筒５０の下端部が、所望の長さだけ引き出された先端側の内管２２を保持する。外筒４０を回すことによって、内筒５０の下端部は拡径及び縮径し、先端側の内管２２を保持しない状態と保持する状態とに転換する。
【００６７】
上記の実施の形態のように、クランパ４の内筒５０が外管１０の下端部を固定しているときは、外管１０の上端部が連結具３に固定されているため、クランパ４の外筒４０を回しても、外管１０が連られて回ることはない。しかし、中間の内管２１を単に外管１０内に挿入しただけでは、中間の内管２１が外管１０内で自由に回ることができるため、中間の内管２１の下端部と先端側の内管２２とを連結しているクランパ４の外筒４０を回すことによって、内筒５０と内筒５０内の中間の内管２１も回ってしまい、内筒５０の下端部を拡縮及び拡径することができない。
【００６８】
そこで図２０に示すように、外管１０、中間の内管２１及び先端側の内管２２に、それぞれ係合する複数の凹条１０ａ，２１ａ，２２ａを形成することにより、中間の内管２１が外管１０内で回らないようにすることが望ましい。中間の内管２１が回らないようにすることにより、クランパ４の外筒４０を回しても、内管２１に固定された内筒５０は回らなくなり、内筒５０の下端部が拡径及び縮径し、先端側の内管２２を保持しない状態と保持する状態とに転換できる。
【００６９】
なお、脚１を３本以上で構成するときは、支持部材６の環状部材６１に形成する係合溝６１ｃも、脚１の外径に合わせて３カ所以上に形成し、それぞれの脚１に支持部材６を取り付けることができるようにすることも可能である。
【００７０】
【実施例】
上記の実施の形態に使用する画架の材質は、脚としてアルミニウムなどの軽合金又は硬質の樹脂を使用し、他の部品としてポリプロピレンやＡＢＳなどの樹脂を使用することができる。特に、支持部材の環状部材は、両端部を拡開して脚に取り付けるため、弾力性が必要である。また、支持部材の受け部は起立姿勢を維持するために、受け部の平面部が球状突部の咬合部に係止されるように弾性変形する必要があることから、この部品も弾力性が必要である。
【００７１】
また、上記の変形例における小片の内側の凹陥部内に嵌入する滑り止めは、ゴムなどの摩擦係数の大きな材質を使用することにより、クランパの内筒が脚を滑ることなく保持することができる。
【００７２】
【発明の効果】
本発明の画架によれば、押さえ部材が咬合部を有するスライダーとケースとから構成されるため、カンバスを画架に載せる際に、カンバス押さ部材のスライダーの引出しが容易に行え、引き出されたスライダーはケースと噛合して仮固定される。したがって、ネジを回すなどの煩わしい作業を行うことなく、カンバスの画架への載置が迅速かつ簡便に終了する。さらに、スライダーの移動量を十分に確保した押さえ部材を備えた画架は、あらゆる厚さのカンバスにも対応が可能となる。
【００７３】
また本発明の画架によれば、支持部材が脚に外嵌する基部に球状突部を形成し、前記球状突部に受け部を係合するものとしたことにより、受け部の回動の自由度が多く、カンバスを支持する際、カンバスの下縁に則して受部が十分にかつ最適に回動し、カンバスの下縁に対して受部の平面部が片当たりせず、平面部の全面で適切にかつ安定してカンバスを支持することができる。
【００７４】
さらに、回動範囲を大きくした受け部を備えた画架は、受部を画架の脚に平行にも折り畳めるようになり、コンパクトに収納可能なものとなる。このような画架は、携帯に都合がよく、画架の運搬時に、受部に被服を引っ掛けることもなく、安全でかつ下部支持部材の破損の防止もできるものとなる。
【図面の簡単な説明】
【図１】  本発明に係る画架の使用時の斜視図である。
【図２】  本発明に係る画架の使用時の正面図である。
【図３】  本発明に係る画架の使用時の側面図である。
【図４】  本発明に係る画架の図３とは別の使用態様の側面図である。
【図５】  本発明に係る画架を構成する連結具の斜視図ある。
【図６】  本発明に係る画架を構成するクランパの分解斜視図である。
【図７】  本発明に係る画架を構成するクランパを緩めたときの正面図である。
【図８】  本発明に係る画架を構成するクランパを締めたときの正面図である。
【図９】  本発明に係る画架を構成する支持部材の斜視図である。
【図１０】  本発明に係る画架を構成する支持部材の分解斜視図である。
【図１１】  本発明に係る画架を構成する支持部材を脚に固定する前の平面図である。
【図１２】  本発明に係る画架を構成する支持部材を脚に固定した後の平面図である。
【図１３】  本発明に係る画架の押さえ部材の分解斜視図である。
【図１４】  本発明に係る画架の押さえ部材の斜視図である。
【図１５】  本発明に係る画架の押さえ部材の正面断面図である。
【図１６】  本発明に係る画架の押さえ部材の平面図である。
【図１７】  本発明に係る画架の変形例を示すクランパの分解斜視図である。
【図１８】  本発明に係る画架の変形例を示すクランパの断面図である。
【図１９】  本発明に係る画架の変形例を示す押さえ部材の一部断面斜視図である。
【図２０】  本発明の変形例を示す脚の一部断面斜視図である。
【図２１】  従来の画架の支持部材を示す斜視図である。
【図２２】  従来の画架の支持部材の図２１とは別方向の斜視図である。
【図２３】  従来の画架の押さえ部材を示す断面図である。
【符号の説明】
１    脚
６    支持部材
７    支持杆
８    押さえ部材
６０    基部
６１    環状部材
６１ｄ  球状突部
６１ｇ  突起
７０    受け部
７１    平面部
７２    垂直部
７２ａ  丸孔
８０    ケース
８１    開口部
８２    咬合部
９０    スライダー
９５    咬合部
【図１】
0003647002.tif 000002
【図２】
0003647002.tif 000003
【図３】
0003647002.tif 000004
【図４】
0003647002.tif 000005
【図５】
0003647002.tif 000006
【図６】
0003647002.tif 000007
【図７】
0003647002.tif 000008
【図８】
0003647002.tif 000009
【図９】
0003647002.tif 000010
【図１０】
0003647002.tif 000011
【図１１】
0003647002.tif 000012
【図１２】
0003647002.tif 000013
【図１３】
0003647002.tif 000014
【図１４】
0003647002.tif 000015
【図１５】
0003647002.tif 000016
【図１６】
0003647002.tif 000017
【図１７】
0003647002.tif 000018
【図１８】
0003647002.tif 000019
【図１９】
0003647002.tif 000020
【図２０】
0003647002.tif 000021
【図２１】
0003647002.tif 000022
【図２２】
0003647002.tif 000023
【図２３】
0003647002.tif 000024